(57)【要約】【課題】薬剤成分を容易に摂取可能なコンタクトレンズを提供する。【解決手段】眼球に装着する球面状のレンズに薬剤成分が含まれたコンタクトレンズ。【選択図】  図２
2018194811.tif 000002
【特許請求の範囲】
【請求項１】
眼球に装着する球面状のレンズに薬剤成分が含まれたコンタクトレンズ。
【請求項２】
請求項１に記載のコンタクトレンズであって、前記薬剤成分がマイクロカプセルに内包されたコンタクトレンズ。
【発明の詳細な説明】
【技術分野】
【０００１】
本発明は、薬剤を摂取可能なコンタクトレンズに関する。
【背景技術】
【０００２】
一般的に、眼の治療を行うには、目薬が使用され、薬物を眼球に投与して治療を行うことが知られている。これに対して、特許文献１では、治療用のコンタクトレンズであって、コンタクトレンズの球面内側に、収容部を設け、薬剤成分を目に直接、送達することが開示されている。
【先行技術文献】
【非特許文献】
【０００３】
【特許文献１】特許第６０７７１２７号公報
【発明の概要】
【発明が解決しようとする課題】
【０００４】
しかしながら、特許文献１は、収容部がレンズの中央にあるので、視認性が疑わしい。さらに、特許文献１のように、治療用のコンタクトレンズではなく、一般的なコンタクトレンズであっても、疲労回復のビタミン成分等が、コンタクトレンズから簡単に供給されることが望ましい。
【０００５】
本発明の目的は、薬剤成分を容易に摂取可能なコンタクトレンズを提供することを目的とする。
【課題を解決するための手段】
【０００６】
眼球に装着する球面状のレンズに薬剤成分が含まれたコンタクトレンズを提供する。
【発明の効果】
【０００７】
本発明のコンタクトレンズによれば、コンタクトレンズを装着している眼球に薬剤成分を摂取することが容易に可能になる。
【図面の簡単な説明】
【０００８】
【図１】本発明の一実施形態におけるコンタクトレンズの製造方法の概略図である。
【図２】本発明の一実施形態におけるコンタクトレンズを使用した場合のビタミンの浸透を示す図である。
【発明を実施するための形態】
【０００９】
以下、好適な実施形態を用いて本発明をさらに具体的に説明する。但し、下記の実施形態は本発明を具現化した例に過ぎず、本発明はこれに限定されるものではない。
【００１０】
本発明の好適な一実施形態に係るコンタクトレンズは、コンタクトレンズの製造工程において、レンズを構成する素材（シリコンハイドロゲル又はHEMA（ヘマ））にビタミン等の薬剤成分を含ませて、コンタクトレンズを製造する。また、製造されたレンズの内側球面に薬剤成分を付着させたコンタクトレンズを製造する。
【００１１】
以下では、色素サンドイッチ製法により、カラーコンタクトレンズを製造し、これにマイクロカプセルを用いて薬剤（例えば、ビタミン）を浸透させる方法について主に説明する。これは本発明の一実施形態に過ぎず、薬剤を浸透させる対象が、カラーコンタクトレンズに限定されるわけではない。
【００１２】
キャストモールド製法により製造する場合について、図１を参照して説明する。図１に示すように、レンズの度数毎の型枠（凹凸型）を作り、凹型に材料の樹脂を入れ、凸型と合わせて成形する。これで製造されたレンズを２枚用いて、中に色素部分を挟み込む形で、カラーコンタクトレンズを製造する。一般に、凹型にレンズ原料を注入し、レンズ後面型を固定する。そして、紫外線や加熱によりレンズを重合する。
【００１３】
この色素部分を内包する素材にマイクロカプセルによって、薬剤を内包させる。このようなサンドイッチ方式は、後述する浸透方式、プリント方式よりも、色素の内包性が優れているため、薬剤の内包性も高まる。
【００１４】
なお、カラーの着色剤には、金属酸化物系着色剤、フタロシアニン着色剤、カーボン系着色剤、カルバゾール系着色剤が用いられてよい。含水率は３０〜５０％以上となる。
【００１５】
図２を参照して、薬剤の配置について説明する。図２に示すビタミン浸透方法は、レンズ断面を示すイメージ図である。サンドイッチ方式で２枚のレンズに色素（着色）部分が挟まれているが、この挟まれている部分に、マイクロカプセルを配置する。マイクロカプセルは、芯物質と壁材から構成され、芯物質に薬剤（例えば、ビタミン）が使用される。マイクロカプセルの粒子径は、数マイクロメートルから数千マイクロメートルである。
【００１６】
薬剤を含むコンタクトレンズは、図２に示すように、長時間の仕様等で目の負担が増え、目が充血している場合に、薬剤が時間をかけて目に浸透することで、瞳をケアすることができる。すなわち、コンタクトレンズ装用後、長時間の使用等で徐々に目に負担がかかり充血する可能性が大きくなる。ここで、コンタクトレンズの内側の素材に、マイクロカプセルを配合させビタミンを供給することで目のケアを行うことができる。マイクロカプセルの壁材に、涙液の成分でもある「たんぱく質」に反応する素材を使用してもよいし、もしくは、涙が弱いアルカリ性の液体ということもあり、ｐｈ値の変化によって溶解する素材を使用してよい。
【００１７】
マイクロカプセルの芯物質には、主に目の疲れによって及ぼす目の充血に効果のあるビタミン成分を選定し配合する。芯物質をDDS（ドラッグデリバリーシステム）によって時間的に制御をしながら浸透させる。
【００１８】
また、サンドイッチ方式ではなく、浸透方式やプリント方式で製造してもよい。浸透方式とは、色素自体をレンズ素材でコーティングしレンズ素材に浸透させる方法である。また、プリント方式とは、色紙自体をレンズ素材でコーティングし、モールド又はドライレンズに直接印刷する方法である。
【００１９】
他の一例として、スピンキャスト法でレンズを製造する場合について説明する。ソフトコンタクトレンズの原料（ポリヒドロキシエチルメタアクリレート、ポリビニルポロリドン）を高速回転する凹型のモールドに注入する際に、この原料に薬剤を混ぜて注入する。
【００２０】
これらの方法で行うと、熱で薬剤が蒸発若しくは焼却されてしまう場合がある。その場合は、コンタクトレンズの形状が安定し、紫外線による重合が終わったタイミングで、コンタクトレンズの球面の内側に薬剤を付着させる。この際に、薬剤を付着させたコンタクトレンズの内側面に、薬剤の付着を保持するためのサポート材を、内側面の外側から内側方向へ固着させてもよい。コンタクトレンズを使用する際には、このサポート材を剥がして、使用することで、保持された薬剤を眼球に接触させることが出来る。
【００２１】
上記のサンドイッチ方式ではなく、コンタクトレンズの原料そのものに練り込ませる方法も考えられる。例えば、多孔質に薬剤（例えば、ビタミン成分）を配合させ、コンタクトレンズの原料となるヒドロキシエチルメタクリレート、ボリー2-ヒドロキシエチルメタクリレートに、この多孔質を練り込ませDDS（ドラッグデリバリーシステム）により眼球に浸透させる。
【００２２】
さらに、薬剤となる（例えば、ビタミン成分）を多孔質フィルムに配合させ、この多孔質フィルムをシールのようにレンズに配置することでDDS（ドラッグデリバリーシステム）により眼球に浸透させる方法であってもよい。
【００２３】
また、コンタクトレンズが収納されている保存液に、上述の薬剤（各種ビタミン）及び抗炎症剤を付加して、コンタクトレンズの表面に吸収させてもよい。
【００２４】
ここで、コンタクトレンズにMPCポリマーを含有してもよい。この場合に、MPCポリマーにビタミン等の薬剤を含浸させる。MPCポリマーは、ヒアルロン酸の約２倍の吸水性があり保水性が高められる。さらに、MPCポリマーは、タンパク質成分を排除することから適切である。
【００２５】
なお、コンタクトレンズは、眼球に装着する球面のレンズであって、１日から２週間程度で、使い捨てのコンタクトレンズであることが望ましい。薬剤成分が消費されてしまうからである。上述のように、カラーコンタクトレンズであってもなくてもよい。
【００２６】
薬剤成分とは、ビタミンＡ、Ｅ、Ｂ６、Ｂ１２等の目の回復するための薬であったり、抗炎症剤、眼病予防剤、充血を防ぐ薬であってよい。コンタクトレンズに付着させる薬剤成分は、液体、固体、ゼリー状の薬剤であってよい。
【００２７】
以上、特定の例示的な実施形態を参照して本発明を説明したが、本発明は、これらの実施形態ではなく、添付の特許請求の範囲によってのみ制限される。当然のことながら、当業者であれば、本発明の範囲および主旨から逸脱することなく、これらの実施形態を変更または改良可能である。
【図１】
2018194811.tif 000003
【図２】
2018194811.tif 000004